(57)【要約】    【課題】  作成された電子フォームを配信先の電子フォーム形式に変換して、セキュリティ保ちつつ配信することができる電子処理システムを提供する。    【解決手段】  電子フォームの作成及び配信を行う電子処理システム１４２は、ユーザ端末１４１から送られてきた電子フォームデータ及び電子データを利用して、電子フォームを作成する。作成した電子フォームを配信先１４３の各種電子フォーム形式に自動的或いは意図的に変換し、その電子フォームの配信までも行う。【選択図】      図３
2006313490.tif 000002
【特許請求の範囲】
【請求項１】
電子フォームの作成と配信を行う電子処理システムであって、
電子フォーム、又は電子フォームを作成するための電子フォームデータと電子データを用いて、配信先に適合した所定の形式の電子フォームを作成する電子フォーム作成手段と、
前記電子フォーム作成手段で作成した電子フォームを前記配信先へ配信する配信手段とを備えたことを特徴とする電子処理システム。
【請求項２】
前記電子フォーム作成手段は、
電子フォームを用いる場合には、該電子フォームを電子フォームデータと電子テータに分解し、その分解後の電子データを前記配信先に適合した電子フォームデータに合成して前記所定の形式の電子フォームを作成することを特徴とする請求項１に記載の電子処理システム。
【請求項３】
前記電子フォーム作成手段は、
電子フォームデータと電子データを用いる場合には、前記配信先に適合する電子フォームデータを選択し、その選択された電子フォームデータに前記電子テータを合成して前記所定の形式の電子フォームを作成することを特徴とする請求項１又は２に記載の電子処理システム。
【請求項４】
前記電子フォーム作成手段で電子フォームを作成するときに、ユーザ認証を行うユーザ認証手段を備えたことを特徴とする請求項１乃至３のいずれかに記載の電子処理システム。
【請求項５】
前記ユーザ認証手段は、電子フォーム、電子データ及び電子フォームデータを取り扱うことが可能な権限をユーザごとに管理する構成であることを特徴とする請求項１乃至４のいずれかに記載の電子処理システム。
【請求項６】
電子フォームの作成と配信を行う電子処理システムの制御方法であって、
電子フォーム、又は電子フォームを作成するための電子フォームデータと電子データを用いて、配信先に適合した所定の形式の電子フォームを作成する電子フォーム作成工程と、
前記電子フォーム作成工程で作成した電子フォームを前記配信先へ配信する配信工程とを順次実行することを特徴とする電子処理システムの制御方法。
【請求項７】
電子フォームの作成及び配信を行う電子処理システムの制御方法を実行するための、コンピュータで読み取り可能な制御プログラムであって、
電子フォーム、又は電子フォームを作成するための電子フォームデータと電子データを用いて、配信先に適合した所定の形式の電子フォームを作成する電子フォーム作成ステップを備えたことを特徴とする制御プログラム。
【発明の詳細な説明】
【技術分野】
【０００１】
本発明は、電子フォームの作成と配信を行う電子処理システム及びその制御方法、並びに前記制御方法を実行するための制御プログラムに関する。
【背景技術】
【０００２】
従来、帳票等の電子フォームの作成は、例えばローカルネットワーク上において電子フォームデータを作成し、さらにこの電子フォームデータとこれに記入すべき電子データとを合成（オーバレイ）して電子フォームを作成している。そして、作成した電子フォームは、ネットワーク上のサーバに保存したり、また紙媒体へ出力することが多かった（例えば特許文献１を参照）。
【０００３】
また、インターネットを介して電子フォームを流通させるシステムも提案されている（例えば特許文献２を参照）。このシステムでは、インターネット上において、申請処理の代行業務を行うＡ社の電子フォーム流通システムと、申請者のユーザ端末と、官庁などの申請先の端末とが接続されている。ユーザが端末を利用してＡ社から電子フォームを取得し、必要事項を入力してＡ社へ送信すると、Ａ社はユーザの代わりに申請先に対して申し込み処理を行うというものである。
【特許文献１】特開２００２−２７３９６７号公報
【特許文献２】特開２００２−１２３６３２号公報
【発明の開示】
【発明が解決しようとする課題】
【０００４】
しかしながら、上記従来のシステムでは、作成された電子フォームの形式を他のフォーム形式に変換する機能を持っておらず、したがって、作成された電子フォームを配信先の電子フォーム形式に変換して配信することはできなかった。
【０００５】
本発明は上記従来の問題点に鑑み、作成された電子フォームを配信先の電子フォーム形式に変換して、セキュリティ保ちつつ配信することができる電子処理システム及びその制御方法、並びに制御プログラムを提供することを目的とする。
【課題を解決するための手段】
【０００６】
本発明は上記目的を達成するため、電子フォームの作成と配信を行う電子処理システムであって、電子フォーム、又は電子フォームを作成するための電子フォームデータと電子データを用いて、配信先に適合した所定の形式の電子フォームを作成する電子フォーム作成手段と、前記電子フォーム作成手段で作成した電子フォームを前記配信先へ配信する配信手段とを備えたことを特徴とする。
【０００７】
また、本発明は、電子フォームの作成と配信を行う電子処理システムの制御方法であって、電子フォーム、又は電子フォームを作成するための電子フォームデータと電子データを用いて、配信先に適合した所定の形式の電子フォームを作成する電子フォーム作成工程と、前記電子フォーム作成工程で作成した電子フォームを前記配信先へ配信する配信工程とを順次実行することを特徴とする。
【０００８】
また、本発明は、電子フォームの作成及び配信を行う電子処理システムの制御方法を実行するための、コンピュータで読み取り可能な制御プログラムであって、電子フォーム、又は電子フォームを作成するための電子フォームデータと電子データを用いて、配信先に適合した所定の形式の電子フォームを作成する電子フォーム作成ステップを備えたことを特徴とする。
【発明の効果】
【０００９】
本発明によれば、作成された電子フォーム、或いは電子フォームデータと電子テータを用いて、配信先に適合した所定の形式の電子フォームを作成して、セキュリティ保ちつつ配信することが可能になる。
【発明を実施するための最良の形態】
【００１０】
本発明の電子処理システム及びその制御方法、並びに制御プログラムの実施の形態について、図面を参照しながら説明する。
【００１１】
＜ネットワーク構成＞
図１は、本発明の実施の形態に係る電子フォーム処理システムを含むネットワークの構成を示すブロック図である。
【００１２】
同図に示すように、本実施の形態のネットワークは、例えば住民登録の申請者が所有するユーザ端末１４１と、申請仲介業者が設置している電子フォーム処理システム１４２と、官公庁のクライアント端末１４３とを備えている。そして、これらがそれぞれローカルネットワーク１４５，１４６，１４７に接続され、そのローカルネットワーク１４５〜１４７は、インターネットにより相互に接続されている。
【００１３】
図２（ａ），（ｂ），（ｃ）は、図１に示したネットワークのデータの流れを示す概念図である。
【００１４】
ユーザ端末１４１から電子フォーム処理システム１４２に対しては、図２（ａ）に示すように、ユーザが作成した電子フォーム５１、又は電子フォーム作成用の電子データ５２と電子フォームデータ５３がアップロードされる。ここで、電子フォームは、電子フォームデータに電子テータを合成したものである。例えば住民票登録を例にとった場合、電子フォームデータとは、イメージや表（枠線）などの固定的なデータに当たり、電子テータとは、ユーザが記入すべき住所や氏名などの可変データを指す。
【００１５】
そして、ユーザ端末１４１から送信される電子フォーム５１及び電子データ５２は、電子署名によりその内容が保証されており、改ざんなどができないようになっている。また、電子データ５２及び電子フォームデータ５３は暗号化されている。
【００１６】
一方、電子フォーム処理システム１４２からユーザ端末１４１に対しては、作成が完了した住民票の電子フォーム６１やそのイメージデータ６２がダウンロードされる。
【００１７】
また、電子フォーム処理システム１４２からクライアント端末１４３に対しては、申請するために作成された電子フォームがダウンロードされる。
【００１８】
＜電子フォーム処理システムの構成＞
図３は、図１中の電子フォーム処理システム１４２の構成を示すブロック図である。
【００１９】
この電子フォーム処理システム１４２は、電子フォームの作成及び配信を行うシステムであり、ユーザが作成した電子フォームデータ及び電子データを利用し、配信先の各種電子フォーム形式に自動的或いは意図的に変換した電子フォームを作成し配信するシステムであり、電子フォーム作成サーバ１４２ａと配信サービスサーバ１４２ｂとで構成されている。
【００２０】
電子フォーム作成サーバ１４２ａは、ユーザが指定した配信先のフォームフォーマットに従った電子フォーム２１ａを作成する電子フォーム作成エンジン２１と、官公庁指定のフォームを格納する官公庁指定フォーム格納部２２と、ユーザ端末１４１から送られた電子テータを格納する電子テータ格納部２３と、作成された電子フォーム２１ａに付加する電子署名を格納する電子署名格納部２４とを備えている。
【００２１】
電子フォーム作成エンジン２１では、官公庁で指定されたフォームにマッピングできるように、ユーザから送られた電子データを電子フォームデータに関連付けておくことで、ユーザが指定した配信先のフォームフォーマットに従った電子フォーム２１ａを作成する。このとき、官公庁指定フォーム格納部２２に登録されているフォームの中から適合する電子フォームデータを選択し、それを利用して電子フォーム２１ａを作成する。また、ユーザが任意の形式で作成した電子フォーム５１を受け取った場合には、その電子フォーム５１を電子フォームデータと電子データに分解し、配信先の電子フォームデータに電子データをマッピングすることで、電子フォーム２１ａを作成する。
【００２２】
さらに、作成された電子フォーム２１ａには、電子署名格納部２４から電子署名を選択し付加し、配信サービスサーバ１４２ｂへ送る。
【００２３】
配信サービスサーバ１４２ｂは、電子フォーム作成サーバ１４２ａから転送された電子署名付き電子フォーム２１ｂの配信制御を行う配信制御部２５を有し、これがインターネットを介して官公庁のクライアント端末１４３に接続されている。
【００２４】
配信サービスサーバ１４２ｂでは、作成された電子署名付き電子フォーム２１ｂを目的の官公庁へ提出するほか、その後の電子フォームの取り扱いについてもバックアップしていく。すなわち、配信制御部２５では、提出した電子フォームが確実に官公庁へ配信されているか、また提出された電子フォームは現在どのようなステータスであるかを追尾する機能を持ち、その結果をユーザがユーザ端末１４１等で監視することができるようになっている。また、配信制御部２５は、電子フォームのステータスが変わった段階でそれをユーザに知らせる機能を有し、これによって、ユーザは提出した電子フォームについて全ての処理が官公庁でなされるまで監視することができる。また、配信制御装置は、再提出機能やログ機能、提出無効機能なども備えている。
【００２５】
図４は、図１中の電子フォーム処理システム１４２のハードウェアの構成を示すブロック図である。
【００２６】
この電子フォーム処理システム１４２は、コンピュータシステムとして構成されており、ＣＰＵ１０、ＲＯＭ１１、ＲＡＭ１２、ＦＤ（フロッピー（登録商標）ディスク）ドライブ１３、ＨＤ（ハードディスク）ドライブ１５、キーボード１６、ディスプレイ１７、マウス１８及びプリンタ１９の各部がシステムバス２０に接続されている。
【００２７】
上記構成を詳述すると、ＣＰＵ１０は、本電子フォーム処理システム１４２の各部を制御する中央演算処理装置であり、制御プログラムに基づき後述の各フローチャートに示す処理を実行する。ＲＯＭ１１は、基本Ｉ／Ｏプログラム等を格納する読み取り専用主記憶装置である。ＲＡＭ１２は、ＣＰＵ１０の作業領域や一時記憶領域として使用される読み書き可能主記憶装置である。
【００２８】
ＦＤドライブ１３は、外部記憶媒体であるＦＤ１４に対するデータの書き込み・読み出しを行う。ＨＤドライブ１５は、外部記憶媒体であるＨＤに対するデータの書き込み・読み出しを行う。キーボード１６は、文字・数字等の入力に使用する入力装置であり、ディスプレイ１７は、各種画面を表示する表示装置であり、マウス（ポインティングデバイス）１８は、各種指示に使用する入力装置である。プリンタ１９は、印刷媒体上に画像を形成する印刷装置である。なお、プリンタ１９の代わりにプロッタを設置してもよい。システムバス２０は、上記各部を接続するデータ伝送路である。
【００２９】
本電子フォーム処理システム１４２では、配信サービスサーバ１４２ｂは、基本Ｉ／Ｏプログラム、ＯＳ（オペレーティングシステム）、及び制御プログラムをＣＰＵ１０が実行することにより動作する。なお、上記制御プログラムは、本発明の制御手順を示す後述の各フローチャートに基づいてプログラムコード化されたものである。基本Ｉ／ＯプログラムはＲＯＭ１１に書き込まれており、ＯＳはＨＤドライブ１５のＨＤに書き込まれている。そして、本電子フォーム処理システム１４２の電源がオンされたときに、基本Ｉ／Ｏプログラム中のＩＰＬ（イニシャル・プログラム・ローディング）機能により、ＨＤドライブ１５のＨＤからＯＳがＲＡＭ１２に読み込まれ、ＯＳの動作が開始される。
【００３０】
図５（ａ），（ｂ）は、本実施の形態に係る制御プログラム及び関連データのメモリマップ図であり、同図（ａ）はその記憶例を示し、同図（ｂ）は前記制御プログラム及び関連データがＲＡＭ１２にロードされて実行可能となった状態を示している。
【００３１】
本実施の形態の場合は、図５（ａ）に示すように、上記制御プログラム及び関連データが外部記憶媒体であるＦＤ１４中に記憶されている。外部記憶媒体３０（ＦＤ１４）は、ボリューム情報領域３１、ディレクトリ情報領域３２、制御プログラム実行ファイル領域３３、及び制御プログラム関連データファイル領域３４を備えている。
【００３２】
ＦＤ１４に記憶された制御プログラム及び関連データは、ＦＤドライブ１３を通じて本電子フォーム処理システム１４２にロードすることができる。このＦＤ１４をＦＤドライブ１３にセットすると、ＯＳ及び基本Ｉ／Ｏプログラムの制御の下に本制御プログラム及び関連データがＦＤ１４から読み出され、ＲＡＭ１２にロードされて動作可能となる。
【００３３】
一方、ＲＡＭ１２の記憶領域４０は、基本Ｉ／Ｏプログラム領域４１、ＯＳ領域４２、制御プログラム領域４３、データエリア４４、及びワークエリア４５を備えている。本実施の形態では、ＦＤ１４から制御プログラム及び関連データを直接ＲＡＭ１２にロードして実行させる例を示しているが、この他に、ＦＤ１４から制御プログラム及び関連データを一旦ＨＤドライブ１５のＨＤに格納（インストール）しておき、本制御プログラムを動作させる段階でＨＤドライブ１５のＨＤからＲＡＭ１２に本制御プログラムをロードするようにしてもよい。また、本制御プログラムを記憶する媒体は、ＦＤ以外に、ＣＤ−ＲＯＭ、ＩＣメモリカードなどであってもよい。さらに、本制御プログラムをＲＯＭ１１に記録しておき、これをメモリマップの一部をなすように構成し、直接、ＣＰＵ１０で実行することも可能である。
【００３４】
＜電子処理システムの動作＞
（Ａ）処理全体
図６は、本実施の形態に係る電子処理システムの全体的な動作（リクエスト処理）を示すフローチャートである。
【００３５】
電子フォーム作成サーバ１４２ａは、まず、申請者（ユーザ）から例えば住民票登録申請のリクエストを受け付ける（ステップＳ８１）。次にユーザの認証処理を行う（ステップＳ８２）。すなわち、このユーザ認証処理は、電子フォーム、電子データ及び電子フォームデータを取り扱うことができる権限をユーザごとに管理している権限管理システムを用いて行われる。
【００３６】
認証が成立したならば（ステップＳ８３）、リクエストの解析を行う（ステップＳ８５）。リクエスト解析を行った後は、処理認証を行って、そのリクエストを処理するに当たり必要な権限が満たされているかをチェックし（ステップＳ８６，ステップＳ８７）、認証が成立したならば当該リクエスト処理を実行し（ステップＳ８９）、不成立ならば終了する。そして、当該リクエスト処理を実行して終了したならば、申請者のユーザ端末１４１へ処理結果の通知を行い（ステップＳ８１０）、終了する。
【００３７】
（Ｂ）ユーザ認証
図７は、図６のユーザ認証処理（ステップＳ８２）の詳細を示すフローチャートである。
【００３８】
前述したように、ユーザから来たリクエストを解析する前にユーザ認証処理を行う。  認証処理を開始すると、アクセス管理システムに接続されて、リクエスト要求をしてきたユーザがシステムに登録されているかについてユーザ確認が行われる（ステップＳ１１２）。ユーザが登録済みであれば処理を続行し、未登録であれば終了する（ステップＳ１１３）。
【００３９】
ユーザが登録済みであればユーザ権限を確認する（ステップＳ１１５）。権限を確認したならば、当該リクエスト処理要求に対してアクセス権を獲得して設定し（ステップＳ１１６、ステップＳ１１７）、随時処理を行っていく。
【００４０】
（Ｃ）リクエスト処理
図８は、図６のリクエスト解析処理（ステップＳ８５）及びリクエスト処理（ステップＳ８９）の詳細を示すフローチャートである。
【００４１】
リクエスト解析処理（ステップＳ８５）では、申請者からのリクエストを、データ更新処理９３、データ変更処理９５、処理認証管理９７、データ削除処理９１０、オーバレイ処理９１２、及びデータ配信処理９１４に分類する。
【００４２】
データ更新処理９３は、官公庁指定フォーム格納部２２に蓄積されているフォームデータ及び電子テータ格納部２３に格納されている電子データを更新する。データ変更処理９５は、官公庁指定フォーム格納部２２に蓄積されているフォームデータ、及び電子データ格納部２３に蓄積されている電子データをリモートで変更する。
【００４３】
また、処理認証管理９７は、ユーザの権限管理を行う。つまり、どのユーザが何のデータに対してどんなことができるかという権限を設定する処理である。データ削除処理９１０は、電子フォーム作成サーバ１４２ａに蓄積されている各種データの削除を行う。
【００４４】
オーバレイ処理９１２は、電子フォームデータに電子データを合成する処理を行う。そして、データ配信処理９１４は、電子フォーム作成サーバ１４２ａからクライアントに対して電子フォームの配信を行う。
【００４５】
上記各処理に分類した後で、その処理に必要な権限を満たしているかどうかを調査する（ステップＳ８６）。もしユーザの権限が処理内容に対して許可されていない場合は処理を実行することはできない（ステップＳ８７）。許可されていれば、データ更新実行９４、データ変更実行９６、処理認証管理実行９８、データ削除処理実行９１１、オーバレイ処理実行９１３、及びデータ配信処理実行９１５を実施する。
【００４６】
ここで、データ更新実行９４は、実際にデータの更新処理を行い、終了次第電子署名を付加する。データ変更実行９６は、実際にデータの変更処理を行い、終了次第電子署名を付加する。処理認証管理実行９８は、実際に処理認証管理を実施する。データ削除処理実行９１１は、電子フォーム作成サーバ１４２ａに蓄積されている各種データの実際の削除を実施する。オーバレイ処理９１３は、実際にオーバレイを実施する。
【００４７】
変更したデータについては新たに電子署名を付加する。データ配信処理実行９１５の場合であるならば、データ変換処理９１６を行い、その後で電子署名を付加する。
【００４８】
（Ｄ）データ変換処理
図９は、図８のデータ変換処理（９１６）の詳細を示すフローチャートである。
【００４９】
このデータ変換処理は、既に作成された電子フォームデータ又は新たな電子フォームデータと、電子データとから電子フォームを作成する際に行う。データ変換処理の要求を受けると（ステップＳ１０１）、処理する元データの種類が電子フォームであるか、或いは電子フォームデータ及び電子テータであるかを調べる（ステップＳ１０２）。
【００５０】
元データが電子フォームの場合は、その電子フォームから電子データを抽出する（ステップＳ１０４）。電子データを獲得できたならば、配信先の電子フォームデータを官公庁指定フォーム格納部２２から選択し（ステップＳ１０７）、獲得した電子データと配信先の電子フォームデータとのマッピングを実行して、新たな電子フォームを作成する（ステップＳ１０８）。
【００５１】
一方、元データが電子フォームデータ及び電子テータである場合は（ステップＳ１０５）、この電子フォームデータ及び電子データを選択する（ステップＳ１０６）。また、配信先の電子フォームデータを官公庁指定フォーム格納部２２から選択する（ステップＳ１０７）。そして、前記選択した電子フォームデータに代えて配信先の電子フォームデータを用いて、配信先の電子フォームデータと前記選択した電子データとのマッピングを実行して、新たな電子フォームを作成する（ステップＳ１０８）。
【００５２】
その後、作成した電子フォームに対して電子署名を付加し（ステップＳ１０９）、この電子署名を付加した電子フォームを配信する（ステップＳ１１０）。
【００５３】
（Ｅ）マッピング処理
図１０は、図９のマッピング処理（ステップＳ１０８）の詳細を示すフローチャートである。
【００５４】
マッピング処理が開始されると（ステップＳ１２１）、データ処理属性判別（ステップＳ１２２）が実行される。データ処理属性判別とは、データのそれぞれの項目がフォーム上でのどのような意味を持っているか、又は関連付けをされているかを判別する処理である。このような属性情報が記憶されているフォームデータマッピング属性データベース５０２にアクセスして、それぞれのデータを新しいフォームにマッピングしていく（ステップＳ１２３）。次にマッピングに基づいてデータをフォームに流し込む（ステップＳ１２４）。これでマッピングが終了する。
【００５５】
＜本実施の形態の利点＞
実施の形態によれば、従来のようにローカル上で使う電子フォーム形式と官公庁などに提出する電子フォーム形式とに差があってもスムーズに変換することができる。また新たに電子フォームを作成するにしても、その形態は官公庁提出用のフォーマットとして作成することができるので、申請に費やす時間を短縮することができる。
【００５６】
また、提出した電子フォームに関して官公庁の処理完了まで追跡するようにしたので、ユーザが一括して電子フォームの管理をすることが可能となる。
【００５７】
なお、本発明の目的は、実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００５８】
この場合、記憶媒体から読み出されたプログラムコード自体が前述した実施の形態の機能を実現することになり、そのプログラムコード及び該プログラムコードを記憶した記憶媒体は本発明を構成することになる。
【００５９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００６０】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００６１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【００６２】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００６３】
【図１】電子フォーム処理システムを含むネットワークの構成を示すブロック図である。
【図２】図１に示したネットワークのデータの流れを示す概念図である。
【図３】図１中の電子フォーム処理システム１４２の構成を示すブロック図である。
【図４】図１中の電子フォーム処理システム１４２のハードウェアの構成を示すブロック図である。
【図５】実施の形態に係る制御プログラム及び関連データのメモリマップ図である。
【図６】本実施の形態に係る電子処理システムの全体的な動作を示すフローチャートである。
【図７】図６のユーザ認証処理の詳細を示すフローチャートである。
【図８】図６のリクエスト解析処理及びリクエスト処理の詳細を示すフローチャートである。
【図９】図８のデータ変換処理の詳細を示すフローチャートである。
【図１０】図９のマッピング処理の詳細を示すフローチャートである。
【符号の説明】
【００６４】
２１  電子フォーム作成エンジン
２２  官公庁指定フォーム格納部
２３  電子テータ格納部
１４２  電子フォーム処理システム
１４２a  電子フォーム作成サーバ
１４２ｂ  配信サービスサーバ
１４１  ユーザ端末
１４３  クライアント端末
【図１】
2006313490.tif 000003
【図２】
2006313490.tif 000004
【図３】
2006313490.tif 000005
【図４】
2006313490.tif 000006
【図５】
2006313490.tif 000007
【図６】
2006313490.tif 000008
【図７】
2006313490.tif 000009
【図８】
2006313490.tif 000010
【図９】
2006313490.tif 000011
【図１０】
2006313490.tif 000012